(57)【要約】【課題】  大きな吹抜けを形成したり、上階の床面積を大きくしたりすることができる、建物における吹抜け構造を提供する。【解決手段】  住宅の上階空間部２と下階空間部３とが、それらを連通する吹抜け１を残すように、上階２の第１床４で仕切られ、該第１床４に重なるようにして上階２の第２床５が備えられ、該第２床５が第１床４の側から吹抜け１の側に水平に進出移動できるようになされている。【選択図】      図１
2005048511.tif 000002
【特許請求の範囲】
【請求項１】
上階空間部と下階空間部とが、それらを連通する吹抜けを残すように、上階の第１床で仕切られ、該第１床に重なるようにして上階の第２床が備えられ、該第２床が第１床の側から吹抜けの側に水平に進出移動できるようになされていることを特徴とする建物における吹抜け構造。
【発明の詳細な説明】
【技術分野】
【０００１】
本発明は、住宅等の建物における吹抜け構造に関する。
【背景技術】
【０００２】
住宅等の建物において、屋内の空間的な圧迫感を解消する手段として、屋内に吹抜けを設けることが行われている。
【発明の開示】
【発明が解決しようとする課題】
【０００３】
しかしながら、大きな吹抜けを形成しようとすると、上階の床面積が狭くなってしまう一方、上階の床面積を大きくしようとすると、吹抜けが小さくなったりあるいは吹抜けを形成できないという問題を生じることがある。
【０００４】
本発明は、かかる問題点に鑑み、大きな吹抜けを形成したり、上階の床面積を大きくしたりすることができる、建物における吹抜け構造を提供することを課題とする。
【課題を解決するための手段】
【０００５】
上記の課題は、上階空間部と下階空間部とが、それらを連通する吹抜けを残すように、上階の第１床で仕切られ、該第１床に重なるようにして上階の第２床が備えられ、該第２床が第１床の側から吹抜けの側に水平に進出移動できるようになされていることを特徴とする建物における吹抜け構造によって解決される。
【０００６】
この吹抜け構造では、第２床を第１床に重なるようにすることによって大きな吹抜けが形成され、第２床を第１床の側から吹抜けの側に水平に進出移動することによって上階の床面積が大きくなる。こうして、大きな吹抜けを形成したり、上階の床面積を大きくしたりすることができる。
【０００７】
しかも、大きな吹抜けを形成するときは、第２床は、第１床に重なった状態となって収納されるので、第２床の収納スペースに困ることもない。
【発明の効果】
【０００８】
本発明は、以上のとおりのものであるから、大きな吹抜けを形成したり、上階の床面積を大きくしたりすることができる。
【発明を実施するための最良の形態】
【０００９】
次に、本発明の実施最良形態を図面に基づいて説明する。
【００１０】
図１乃至図４に示す実施形態は、小屋裏を利用して２階部分あるいは３階部分をつくった住宅建物に適用したもので、小屋裏を利用した上階空間部２と下階空間部３とが、それらを連通する吹抜け１を残すようにして、上階２の第１床４で仕切られている。本実施形態では、第１床４は、方形状をしていて、上階２の床面積を下階３の床面積の１／３程度とするような広さを備え、上階２の桁行方向の一方の側に移動不能に固設されている。
【００１１】
そして、第１床４の下側、即ち、下階３の天井側に、第１床４と重なるようにして第１床４と同じ程度の広さの方形の第２床５が備えられ、該第２床５が第１床４の下側から吹抜け１の側に水平に進出移動できるようになされている。６，６はそのための支承レールであり、該支承レール６，６は桁行方向の略全長にわたって水平に延ばされ、第２床５を上階２の桁行方向のもう一方の側まで移動させることができるようになされている。なお、第２床５は、車輪機構を介して支承レール６，６に支承され、住む者が日常的に移動させることができるようになされているとよい。その場合の移動は手動によるものであってもよいし、電動によるものであってもよい。
【００１２】
上記の吹抜け構造では、上記の図１及び図２に示すように、第２床５を第１床４の下側に重なるように収納しておくことによって、大きな吹抜け１が形成され、下階空間部３を圧迫感のない広々とした空間にすることができる。その場合に、第２床５は、第１床４に重なった状態となって下階３の天井側に収納されるので、第２床５の収納スペースに困ることもない。
【００１３】
そして、第２床５を第１床４の下側から桁行方向、即ち吹抜け１の側に水平に全部進出移動することによって、図３や図４に示すように、吹抜け１を残しながら、上階２の床面積を第１床４と第２床５とを合わせた大きな床面積にすることができる。
【００１４】
図３は、第１床４と第２床５との間に吹抜け１を残すようにした場合のものである。この場合、第２床５へのアクセスのため、同図（ロ）に示すように、例えば脱着式等の階段７を掛けるようにするのものよい。
【００１５】
図４は、第１床４と第２床５とを続きの床にし、その向こう側に吹抜け１を残すようにした場合のものである。この場合、第１床４への図示しないアクセス用階段を利用して第２床５にアクセスするようにするのもよい。また、第１床４と第２床５との間に段差を生じさせないように、第２床５を上下に変位させる機構を備えさせるようにしてもよい。
【００１６】
このように、上記の吹抜け構造によれば、屋内に大きな吹抜け１を形成したり、上階２の床面積を大きくしたりすることができ、しかも、屋内に大きな吹抜け１を形成した場合の第２床５の収納に困ることもない。
【００１７】
以上に、本発明の実施形態を示したが、本発明はこれに限られるものではなく、発明思想を逸脱しない範囲で各種の変更が可能である。例えば、上記の実施形態では、上階２の床面積を大きくするのに、第２床５を第１床４から全部出した場合を示しているが、第２床を第１床４から一部出すようにしてもよい。また、上記の実施形態では、図３及び図４に示すように、第２床５を第１床４から全部出しても吹抜け１が残るように構成されているが、第２床５を第１床４から全部または一部出すことで吹抜け１がなくなるように構成されていてもよい。
【００１８】
また、上記の実施形態では、第２床５が第１床４の下面側に重なる場合を示しているが、第２床５が第１床４の上面側に重なって収納される構造となっていてもよい。また、上記の実施形態では、第１床４が移動不能に固設されている場合を示しているが、第１床４を第２床５と同様に水平方向に移動させることができる構成されていてもよい。更に、上記の実施形態では、第１，第２の二つの床４，５を備えさせた場合を示しているが、第１床の側から吹抜けの側に水平に進出移動できるようになされている第３の床や第４の床が、第２の床と共に備えられていてもよい。
【図面の簡単な説明】
【００１９】
【図１】実施形態の吹抜け構造を示すもので、図（イ）は側面図、図（ロ）は正面図である。
【図２】斜め下から見た同斜視図である。
【図３】上階の床を広くする場合の一形態を示すもので、図（イ）は斜め下から見た斜視図、図（ロ）は側面図である。
【図４】上階の床を広くする場合の他の形態を示すもので、図（イ）は斜め上から見た斜視図、図（ロ）は側面図である。
【符号の説明】
【００２０】
１…吹抜け
２…上階空間部
３…下階空間部
４…第１床
５…第２床
【図１】
2005048511.tif 000003
【図２】
2005048511.tif 000004
【図３】
2005048511.tif 000005
【図４】
2005048511.tif 000006